(57)【要約】【課題】軽量化に対応しつつ、内容物の影響等によって胴部の形状が、意図せずに角形とは異なる形状に変化することを抑制すること。【解決手段】口部２、肩部３、胴部４及び底部５がボトル軸Ｏ方向に沿って連設された角形ボトルであって、胴部は、周方向に連設された複数のパネル面１０を備え、少なくとも１つのパネル面には、径方向の内側に向けて窪む凹部２０と、周方向に沿って凹部を横断するように形成され、凹部を肩部側に位置する部分２０ａと底部側に位置する部分２０ｂとに上下に区分する横リブ３０とが形成され、凹部は、上下方向に延びる底部ライン２１を間に挟んで周方向に第１壁面２２及び第２壁面２３が並んで配置されるように形成され、第１壁面及び第２壁面には、底部ライン側から周方向の外側に向かうにしたがって、上方或いは下方に向けて延びる斜めリブ２５がそれぞれ形成されている角形ボトル１を提供する。【選択図】図１
2020001780.tif 000002
【特許請求の範囲】
【請求項１】
口部、肩部、胴部及び底部がボトル軸方向に沿って上方から下方に向けてこの順に連設された合成樹脂製の角形ボトルであって、
前記胴部は、周方向に連設された複数のパネル面を備え、
少なくとも１つの前記パネル面には、
径方向の内側に向けて窪むと共に、上下方向に沿って延びる縦長の凹部と、
周方向に沿って前記凹部を横断するように形成され、前記凹部を、前記肩部側に位置する部分と前記底部側に位置する部分とに上下に区分する横リブと、が形成され、
前記凹部は、前記凹部において径方向の最も内側に位置し、且つ上下方向に延びる底部ラインを間に挟んで周方向に第１壁面及び第２壁面が並んで配置されるように形成され、
前記第１壁面及び前記第２壁面には、前記底部ライン側から周方向の外側に向かうにしたがって、上方或いは下方に向けて延びる斜めリブがそれぞれ形成されている、角形ボトル。
【請求項２】
請求項１に記載の角形ボトルにおいて、
前記斜めリブは、前記底部ライン側から周方向の外側に向かうにしたがって前記横リブから離間するように傾斜している、角形ボトル。
【請求項３】
請求項１又は２に記載の角形ボトルにおいて、
前記斜めリブは、前記第１壁面及び前記第２壁面において、上下方向に一定の間隔をあけた状態でそれぞれ複数形成されている、角形ボトル。
【請求項４】
請求項３に記載の角形ボトルにおいて、
前記第１壁面側に形成された前記斜めリブと、前記第２壁面側に形成された前記斜めリブとは、上下方向に相対的にずれて配置されている、角形ボトル。
【請求項５】
請求項１から４のいずれか１項に記載の角形ボトルにおいて、
前記胴部は、前記パネル面として、前記ボトル軸を挟んで径方向に向かい合うように配置された一対の第１パネル面と、前記第１パネル面よりも周方向に沿った周幅が短く形成されると共に、前記ボトル軸を挟んで径方向に向かい合うように配置された一対の第２パネル面と、を有し、且つ前記第１パネル面及び前記第２パネル面が周方向に交互に連設された横断面視扁平状に形成され、
前記凹部は、一対の前記第２パネル面に形成されている、角形ボトル。
【請求項６】
請求項５に記載の角形ボトルにおいて、
前記底部ラインは、前記第２パネルを周方向に折り曲げ可能とさせる折曲ラインとされ、
前記横リブには、前記折曲ラインに沿って前記横リブを折り曲げ可能とさせる補助折曲ラインが形成されている、角形ボトル。
【発明の詳細な説明】
【技術分野】
【０００１】
本発明は、角形ボトルに関する。
【背景技術】
【０００２】
従来から、合成樹脂製ボトルにおいて、例えば環境負荷の低減化、リサイクル性の向上化等を図るために、廃棄時に減量化（軽量化）或いは減容化等を図ることが求められる場合が多い。この種の要望に応えるためのボトルとして、例えば下記特許文献１に示されるように、４つの側壁を有し、これら各側壁の厚さを薄く形成する等して、各側壁の中央部分を径方向内側に湾曲させた角形ボトルが知られている。
【０００３】
この角形ボトルによれば各側壁の厚みを薄くしているので、ボトル全体の軽量化を図っている。さらには、廃棄時に、径方向に向い合う一対の側壁を、それぞれの中央部分を中心として径方向内側に向けて二つ折りに折り畳むことが可能とされている。これにより、胴部を押潰すように折り畳むことで、減容化に対応可能なボトルとして利用することができる。
【先行技術文献】
【特許文献】
【０００４】
【特許文献１】特開平８−２４４７４６号公報
【発明の概要】
【発明が解決しようとする課題】
【０００５】
しかしながら、上記従来の角形ボトルでは胴部における側壁の厚みが薄いので、内容物の自重等によって側壁が径方向外側に向けて押し出されるように変形（例えば反転変形）し易い。そのため、胴部が意図せずに、例えば横断面視円形に近付くように変形し易く、胴部の形状が既定の形状である角形とは異なる形状に変化するおそれがあった。
【０００６】
本発明は、このような事情に鑑みてなされたものであって、その目的は、軽量化に対応しつつ、内容物の影響等によって胴部の形状が、意図せずに角形とは異なる形状に変化することを抑制することができる角形ボトルを提供することである。
【課題を解決するための手段】
【０００７】
（１）本発明に係る角形ボトルは、口部、肩部、胴部及び底部がボトル軸方向に沿って上方から下方に向けてこの順に連設された合成樹脂製の角形ボトルであって、前記胴部は、周方向に連設された複数のパネル面を備え、少なくとも１つの前記パネル面には、径方向の内側に向けて窪むと共に、上下方向に沿って延びる縦長の凹部と、周方向に沿って前記凹部を横断するように形成され、前記凹部を、前記肩部側に位置する部分と前記底部側に位置する部分とに上下に区分する横リブと、が形成され、前記凹部は、前記凹部において径方向の最も内側に位置し、且つ上下方向に延びる底部ラインを間に挟んで周方向に第１壁面及び第２壁面が並んで配置されるように形成され、前記第１壁面及び前記第２壁面には、前記底部ライン側から周方向の外側に向かうにしたがって、上方或いは下方に向けて延びる斜めリブがそれぞれ形成されている。
【０００８】
本発明に係る角形ボトルによれば、パネル面に径方向の内側に向かって窪む凹部が形成されているので、パネル面を例えばフラットに形成する場合に比べて剛性を高めることができる。従って、剛性が高くなった分、胴部の厚みを薄く形成することができ、軽量化に対応した角形ボトルとすることができる。
特に凹部が形成されたパネル面には、周方向に沿って凹部内を横断するように形成され、該凹部を上下に区分する横リブが形成されている。そのため、例えば内容物を充填した場合における内容物の自重、水頭圧等の影響によって、凹部が内容物から応力（圧力）を受け、この応力によって径方向の外側に反転変形するような挙動を示したとしても、横リブを利用して凹部が反転変形してしまうことを抑制することができる。そのため、凹部を径方向の内側に窪ませたままの状態にすることができ、パネル面の剛性を高めた状態を安定に維持することができる。従って、例えばパネル面が径方向の外側に膨らむ等して、胴部の形状が意図せずに角形とは異なる形状に変化することを抑制することができる。
【０００９】
さらに、第１壁面及び第２壁面に斜めリブが形成されているので、凹部が内容物から応力を受けた際に、斜めリブに沿って応力を分散させることができる。従って、凹部のうち径方向の最も内側に位置している底部ライン付近に強い応力が作用したとしても、斜めリブを利用して応力を分散できるので、底部ライン付近に応力が集中することを抑制できる。しかも斜めリブは、底部ライン側から周方向の外側に向かうにしたがって上方或いは下方に向けて延びているので、例えば周方向又はボトル軸方向に沿って直線状に延びるようなリブを形成した場合に比べて、径方向の外側に向けて凹部を反転変形させ難くすることができる。
従って、第１壁面及び第２壁面に形成した斜めリブを利用して、凹部が反転変形することをより一層効果的に防止することができる。
【００１０】
（２）前記斜めリブは、前記底部ライン側から周方向の外側に向かうにしたがって前記横リブから離間するように傾斜しても良い。
【００１１】
この場合には、凹部が内容物から応力を受けた際、斜めリブを利用して横リブから離間するように応力を分散させ易い。従って、横リブにかかる負荷を低減することができ、より一層、横リブを利用して凹部が反転変形してしまうことを抑制することができる。
【００１２】
（３）前記斜めリブは、前記第１壁面及び前記第２壁面において、上下方向に一定の間隔をあけた状態でそれぞれ複数形成されても良い。
【００１３】
この場合には、複数の斜めリブを備えているので、凹部が反転変形してしまうことをより効果的に抑制することができる。また、例えば凹部をパネル面に対して広範囲に形成した場合であっても、複数の斜めリブを利用して応力を分散させることができる。従って、例えば角形ボトル或いはパネル面の大きさ等に応じて凹部のサイズを適宜大きくする等、凹部の設計自由度を向上することができる。
【００１４】
（４）前記第１壁面側に形成された前記斜めリブと、前記第２壁面側に形成された前記斜めリブとは、上下方向に相対的にずれて配置されても良い。
【００１５】
この場合には、第１壁面側に形成された複数の斜めリブの位置と、第２壁面側に形成された複数の斜めリブの位置と、がボトル軸方向にずれているので、凹部が内容物から応力を受けた際、第１壁面側の斜めリブ及び第２壁面側の斜めリブを利用して、応力をバランス良く分散させることができる。これにより、凹部全体に作用する応力を効率良く低減させることが可能であり、凹部が反転変形してしまうことをさらに効果的に抑制することができる。
【００１６】
（５）前記胴部は、前記パネル面として、前記ボトル軸を挟んで径方向に向かい合うように配置された一対の第１パネル面と、前記第１パネル面よりも周方向に沿った周幅が短く形成されると共に、前記ボトル軸を挟んで径方向に向かい合うように配置された一対の第２パネル面と、を有し、且つ前記第１パネル面及び前記第２パネル面が周方向に交互に連設された横断面視扁平状に形成され、前記凹部は、一対の前記第２パネル面に形成されても良い。
【００１７】
この場合には、横断面視扁平状に形成された胴部のうち、周幅が短い一対の第２パネル面に凹部が形成されているので、凹部を利用して第２パネル面の剛性を積極的に高めることができ、胴部の形状が例えば膨らむように変化する等といった不都合を生じさせ難くすることができ、扁平形状に安定的に維持することができる。
【００１８】
（６）前記底部ラインは、前記第２パネルを周方向に折り曲げ可能とさせる折曲ラインとされ、前記横リブには、前記折曲ラインに沿って前記横リブを折り曲げ可能とさせる補助折曲ラインが形成されても良い。
【００１９】
この場合には、廃棄時に、折曲ライン及び補助ラインに沿って凹部及び横リブを周方向に折り曲げながら、第２パネル面を二つ折りにするように周方向に折り畳むことができる。これにより、胴部を押潰すことができ、角形ボトルを嵩張らせることなく廃棄することができる。また、薄型化が可能な角形ボトルであるので、減容化も可能となる。これらのことから、例えば環境負荷の低減化、リサイクル性の向上化に適した角形ボトルとすることができる。
【発明の効果】
【００２０】
本発明に係る角形ボトルによれば、軽量化に対応しつつ、内容物の影響等によって胴部の形状が意図せずに角形とは異なる形状に変化することを抑制することができる。
【図面の簡単な説明】
【００２１】
【図１】本発明に係る角形ボトルの実施形態を示す図であって、角形ボトルの斜視図である。
【図２】図１に示す角形ボトルの側面図であって、第２パネル面側を見た図である。
【図３】図１に示す角形ボトルの変形例を示す斜視図である。
【図４】図３に示す角形ボトルの側面図であって、第２パネル面側を見た図である。
【発明を実施するための形態】
【００２２】
以下、本発明に係る角形ボトル１の実施形態について図面を参照して説明する。
図１及び図２に示すように、本実施形態の角形ボトル１は、口部２、肩部３、胴部４及び底部５を備え、これらが、それぞれの中心軸線を共通軸上に位置させた状態で、この順に連設されている。
角形ボトル１は、射出成形されたプリフォームを使用する二軸延伸ブロー成形、又は押出しブロー成形等の各種のブロー成形により形成された合成樹脂製容器とされている。なお、ブロー成形に用いる流体としては、気体或いは液体等を利用することができ、特に限定されるものではない。
【００２３】
以下、上述した共通軸をボトル軸Ｏといい、ボトル軸Ｏ方向に沿って口部２側を上側、底部５側を下側という。また、ボトル軸Ｏ方向から見た平面視において、ボトル軸Ｏに交差する方向を径方向といい、ボトル軸Ｏ回りに周回する方向を周方向という。
【００２４】
なお、角形ボトル１を形成する合成樹脂材料としては、特に特定の材料に限定されるものではないが、例えばポリエチレン、ポリプロピレン、ポリエチレンテレフタレート（ＰＥＴ）、ポリエチレンナフタレート、非晶性ポリエステル等や、これらのブレンド材料等が挙げられる。ただし、１種類の合成樹脂により形成される場合に限定されるものではなく、異種の合成樹脂を積層することで角形ボトル１を形成しても構わない。
【００２５】
例えば、主材樹脂及びバリア性樹脂の２種類以上の合成樹脂を積層することで角形ボトル１を形成しても構わない。この場合、主材樹脂としては、例えば上述したＰＥＴ等の樹脂が挙げられる。また、バリア性樹脂は、例えばガス（酸素や二酸化炭素等）や、湿気等の水分や、紫外線等の光や、香り等の匂い成分等が主材樹脂を透過することを規制するバリア性を有する樹脂であり、バリアする対象物に応じて適宜選択される樹脂とされる。例えば、ガスに対するバリア性を発揮させる場合には、ナイロン系樹脂やエチレンビニルアルコール共重合体樹脂等が挙げられ、水分に対するバリア性を発揮させる場合には、環状ポリオレフィン系樹脂等が挙げられる。
【００２６】
口部２には、図示しないキャップが装着可能とされている。なお口部２は、横断面視円形状に形成されている。
胴部４は、周方向に連設された４つのパネル面１０（一対の第１パネル面１１、及び一対の第２パネル面１２）を有し、横断面視四角形状、より具体的に横断面視扁平状に形成されている。
胴部４は、ボトル軸Ｏを挟んで径方向に向かい合うように配置された一対の第１パネル面１１、及び一対の第２パネル面１２を備え、これら第１パネル面１１と第２パネル面１２とが周方向に交互に連設されることで形成されている。第２パネル面１２は、周方向に沿った周幅が第１パネル面１１の周幅よりも短く形成されている。これにより、胴部４は横断面視扁平状に形成されている。
【００２７】
第１パネル面１１及び第２パネル面１２は、周方向よりも上下方向に長い縦長のパネル面とされ、互いに上下方向に延びた胴部稜線１３を介して周方向に連設されている。そのため、胴部稜線１３は、横断面視で胴部４の角部（四隅）に位置する部分に配置されている。
【００２８】
第１パネル面１１及び第２パネル面１２は、ボトル軸Ｏ方向における外側（上下両端部）から内側（中央部）に向かうに従い漸次径方向の内側に向けて延びた湾曲状に形成されている。これにより、胴部４は上下方向における中央部分が最も縮径したくびれ形状とされている。なお、胴部４の中央部分は角形ボトル１全体の最小外径部とされている。
ただし、胴部４の形状はこの場合に限定されるものではなく、例えば上下方向に亘って外径が変化しない（くびれがない）、ストレート形状であっても構わない。
【００２９】
肩部３は、上述のように構成された胴部４に対応して、ボトル軸Ｏを挟んで径方向に向かい合うように配置された一対の第１肩パネル面１４、及び一対の第２肩パネル面１５を備え、これら第１肩パネル面１４と第２肩パネル面１５とが周方向に交互に連設されることで形成されている。
【００３０】
第１肩パネル面１４は、第１パネル面１１の上方に配置され、第１パネル面１１との接続部分である下端部から、口部２との接続部分である上端部に向かうにしたがって周方向に沿った周幅が漸次幅狭となるように形成されている。
第２肩パネル面１５は、第１肩パネル面１４と同様に、第２パネル面１２の上方に配置され、第２パネル面１２との接続部分から、口部２との接続部分である上端部に向かうにしたがって周方向に沿った周幅が漸次幅狭となるように形成されている。
【００３１】
なお、第１肩パネル面１４及び第２肩パネル面１５は、胴部稜線１３に一体的に繋がる肩部稜線１６を介して周方向に連設されている。また、第２肩パネル面１５は、径方向の内側に向かって横断面視でＶ字状に窪むように形成されている。この点については、後に説明する。
【００３２】
胴部４における一対の第２パネル面１２には、径方向の内側に向かって窪んだ凹部２０と、周方向に沿って凹部２０内を横断する（横切る）ように形成された横リブ３０と、がそれぞれ形成されている。
なお、以下の説明では、一方の第２パネル面１２側について詳細に説明するが、他方の第２パネル面１２側についても、一方の第２パネル面１２側と同様に構成されている。
【００３３】
凹部２０は、第２パネル面１２の上下方向における中央部分において、径方向の内側に向けて窪むと共に縦長に形成されている。
詳細に説明する。
凹部２０は、角形ボトル１の側面視で縦長の楕円状に形成されている。そのため、周方向に沿った凹部２０の開口幅は、凹部２０における上下方向の中央部分で最も幅広とされ、中央部分から上方及び下方に向かうにしたがって徐々に幅狭となる。さらに凹部２０は、周方向に沿った開口幅が径方向の内側に向かうにしたがって漸次幅狭となるように、径方向の内側に向けて窪んでいる。より具体的には、角形ボトル１の横断面視で凹部２０は径方向の内側に向けてＶ字状に窪むように形成されている。
【００３４】
さらに凹部２０は、該凹部２０において径方向の最も内側に位置し、且つ上下方向に延びる底部ライン２１を間に挟んで周方向に第１壁面２２及び第２壁面２３が並んで配置されるように形成されている。
凹部２０は上述したようにＶ字状に窪むように形成されているので、第１壁面２２及び第２壁面２３は、底部ライン２１から第２パネル面１２との稜線（すなわち凹部２０と第２パネル面１２との接続ライン）に向かうにしたがって径方向の外側に向けて延びる傾斜面とされている。また、第１壁面２２及び第２壁面２３は、底部ライン２１を中心として線対称に形成されている。
【００３５】
横リブ３０は、凹部２０における上下方向の中央部分において、該凹部２０内を周方向に沿って横断するように形成されている。横リブ３０は、凹部２０における第１壁面２２及び第２壁面２３よりも径方向の外側に向けて突出した凸リブ状に形成されている。そのため横リブ３０は、径方向の外側を向いた側壁面３１と、上方を向いた上壁面３２と、下方を向いた下壁面３３と、を有し、これらが一体に形成されることで構成されている。
【００３６】
横リブ３０は、凹部２０内に配置されているので、第１壁面２２及び第２壁面２３よりも径方向の外側に突出しているが、例えば第２パネル面１２に対しては径方向の外側に突出していなくても構わない。図示の例では、横リブ３０は、側壁面３１が第２パネル面１２と略面一となるように形成され、第２パネル面１２よりも径方向の外側に向けて突出することなく形成されている。
ただし、横リブ３０の形状はこの場合に限定されるものではなく、例えば側壁面３１が第２パネル面１２よりも径方向の内側に位置するように形成しても構わないし、側壁面３１が第２パネル面１２よりも径方向の外側に突出する（膨らむ）ように形成しても構わない。
【００３７】
なお、上壁面３２は、横リブ３０の全長に亘って径方向の内側から径方向の外側（すなわち側壁面３１側）に向かうにしたがって下方に延びるように傾斜している。これに対応して、下壁面３３は、横リブ３０の全長に亘って径方向の内側から径方向の外側に向かうにしたがって上方に延びるように傾斜している。
これにより、横リブ３０は、角形ボトル１の縦断面視で、径方向の外側に向かって台形状に膨らむように形成されている。
【００３８】
なお、横リブ３０の形状は上述した場合に限定されるものではなく、適宜変更して構わない。例えば、上壁面３２及び下壁面３３を第２パネル面１２に対して垂直に形成することで、横リブ３０を角形ボトル１の縦断面視で、径方向の外側に向かって四角形状に膨らむように形成しても構わない。さらには、横リブ３０を角形ボトル１の縦断面視で、径方向の外側に向かって半円状に膨らむように形成しても構わない。
【００３９】
上述した横リブ３０は、凹部２０を肩部３側に位置する部分である上側凹部２０ａと、底部５側に位置する部分である下側凹部２０ｂと、に上下に区分している。なお、横リブ３０は、凹部２０における上下方向の中央部分に配置されているので、上下に区分された上側凹部２０ａ及び下側凹部２０ｂは同等に窪んでいる。すなわち、上側凹部２０ａ及び下側凹部２０ｂは、横リブ３０を中心としてボトル軸Ｏ方向に線対称に形成されている。ただし、上側凹部２０ａ及び下側凹部２０ｂは線対称に形成されている必要はなく、凹部２０に対する横リブ３０の上下方向位置は適宜変更して構わない。
【００４０】
また、横リブ３０によって凹部２０が上下に区分されることに伴って、第１壁面２２及び第２壁面２３についても上下に区分される。
本実施形態では、第１壁面２２のうち横リブ３０よりも上方に位置する部分を上側第１壁面２２ａといい、横リブ３０よりも下方に位置する部分を下側第１壁面２２ｂという。同様に、第２壁面２３のうち横リブ３０よりも上方に位置する部分を上側第２壁面２３ａといい、横リブ３０よりも下方に位置する部分を下側第２壁面２３ｂという。つまり、上側凹部２０ａが上側第１壁面２２ａ及び上側第２壁面２３ａで形成され、下側凹部２０ｂが下側第１壁面２２ｂ及び下側第２壁面２３ｂで形成されている。
【００４１】
第１壁面２２（上側第１壁面２２ａ及び下側第１壁面２２ｂ）及び第２壁面２３（上側第２壁面２３ａ及び下側第２壁面２３ｂ）には、底部ライン２１側から周方向の外側に向かうにしたがって、上方或いは下方に向けて延びる斜めリブ２５がそれぞれ形成されている。
【００４２】
具体的には、斜めリブ２５は、底部ライン２１側から周方向の外側に向かうにしたがって横リブ３０から離間するように傾斜した状態で形成されている。
従って、上側第１壁面２２ａ及び上側第２壁面２３ａにそれぞれ形成された斜めリブ２５は、底部ライン２１側から周方向の外側に向かうにしたがって上方に延びるように傾斜しており、これによって横リブ３０から離間するように形成されている。また、下側第１壁面２２ｂ及び下側第２壁面２３ｂにそれぞれ形成された斜めリブ２５は、底部ライン２１側から周方向の外側に向かうにしたがって下方に延びるように傾斜しており、これによって横リブ３０から離間するように形成されている。
【００４３】
各壁面に形成された斜めリブ２５は、径方向の外側に向けて突出する（膨らむ）凸リブ状に形成されていると共に、底部ライン２１に対して到達せず、且つ凹部２０と第２パネル面１２との稜線に対しても到達しない長さで形成されている。
【００４４】
上側第１壁面２２ａに形成された斜めリブ２５は、上側第１壁面２２ａ内において、上下方向に一定の間隔をあけた状態で複数形成されている。同様に、上側第２壁面２３ａに形成された斜めリブ２５は、上側第２壁面２３ａ内において、上下方向に一定の間隔をあけた状態で複数形成されている。
これら上側第１壁面２２ａに形成された斜めリブ２５と、上側第２壁面２３ａに形成された斜めリブ２５とは、同等の傾斜角度で且つ同等のピッチで配置されていると共に、上下方向に互いに高さ位置を合わせて配置されている。
【００４５】
下側第１壁面２２ｂに形成された斜めリブ２５は、下側第１壁面２２ｂ内において、上下方向に一定の間隔をあけた状態で複数形成されている。同様に、下側第２壁面２３ｂに形成された斜めリブ２５は、下側第２壁面２３ｂ内において、上下方向に一定の間隔をあけた状態で複数形成されている。
これら下側第１壁面２２ｂに形成された斜めリブ２５と、下側第２壁面２３ｂに形成された斜めリブ２５とは、同等の傾斜角度で且つ同等のピッチで配置されていると共に、上下方向に互いに高さ位置を合わせて配置されている。
【００４６】
ところで、上述した凹部２０の底部ライン２１は、第２パネル面１２を周方向に折曲可能とさせる折曲ラインとされている。具体的には、底部ライン２１は、第２パネル面１２を径方向の内側に向かって周方向に折曲可能とさせる谷折りラインとされている。
【００４７】
さらに横リブ３０には、該横リブ３０を底部ライン２１に沿って折曲可能とさせる補助折曲ライン４０が形成されている。
補助折曲ライン４０は、第２パネル面１２と共に横リブ３０を径方向の内側に向かって周方向に折曲可能とさせる谷折りラインであって、横リブ３０における周方向の中央部分に形成されている。具体的には、補助折曲ライン４０は、上壁面３２、側壁面３１及び下壁面３３に亘って上下方向に連続的に形成され、底部ライン２１に対して繋がっている。
なお、側壁面３１における周方向の中央部分は、補助折曲ライン４０を中心として径方向の内側に向けてなだらかに窪んでいる。
【００４８】
さらに第２パネル面１２には、第２パネル面１２を周方向に折曲可能とさせる上部折曲ライン４１及び下部折曲ライン４２が形成されている。
上部折曲ライン４１は、上側凹部２０ａの上端部から上方に向けて延びるように形成され、第２肩パネル面１５に達している。上部折曲ライン４１は、第２パネル面１２のうち凹部２０よりも上方に位置する部分を径方向の内側に向かって周方向に折曲可能とさせる谷折りラインであって、図示の例では径方向の内側に向かって突出する縦長の凹リブ状に形成されている。
【００４９】
第２肩パネル面１５には、上部折曲ライン４１の上端部からさらに口部２側に向けて延びる肩部折曲ライン４３が形成されている。肩部折曲ライン４３は、第２パネル面１２の折曲に伴って、第２肩パネル面１５を径方向の内側に向かって周方向に折曲可能とさせる谷折りラインとされている。
なお、第２肩パネル面１５は、肩部折曲ライン４３が径方向の最も内側に位置するように、横断面視Ｖ字状に形成されている。これにより、第２肩パネル面１５は、肩部折曲ライン４３に沿って周方向に容易に折曲可能とされている。
【００５０】
下部折曲ライン４２は、下側凹部２０ｂの下端部から下方に向けて延びるように形成され、第２パネル面１２において凹部２０よりも下方に位置する部分に形成された非折曲パネル面４４に達している。下部折曲ライン４２は、第２パネル面１２のうち、凹部２０よりも下方に位置する部分を径方向の外側に向かって周方向に折曲可能とさせる谷折りラインとされている。
図示の例では、下部折曲ライン４２は、折曲前の段階において径方向の外側に向かって突となる稜線状に形成されている。
【００５１】
従って本実施形態では、第２パネル面１２のうち非折曲パネル面４４よりも主に上方に位置する部分の全体が谷折りとなるように折曲変形可能とされている。
【００５２】
非折曲パネル面４４は、角形ボトル１の側面視で上方に頂点部４４ａを向けた三角形状に形成され、頂点部４４ａから下方に向かうにしたがって径方向の内側に向けて延びるように傾斜している。下部折曲ライン４２は、非折曲パネル面４４の頂点部４４ａに繋がっている。
非折曲パネル面４４は、上述したように、第２パネル面１２の谷折りに伴う折曲変形によって、例えば頂点部４４ａを基点として径方向の内側に向けて回動するような（倒れ込むような）挙動を示す。
【００５３】
なお、第２パネル面１２のうち、下部折曲ライン４２を間に挟んだ周方向の両側には、非折曲パネル面４４の上記挙動を促す案内折曲ライン４５がそれぞれ形成されている。図示の例では、案内折曲ライン４５は、頂点部４４ａ側から周方向の外側に向かうにしたがって漸次上方に向けて延びるように傾斜していると共に、径方向の内側に向けて突出する凹リブ状に形成されている。
【００５４】
（角形ボトルの作用）
次に、上述のように構成された角形ボトル１の作用について説明する。
本実施形態の角形ボトル１によれば、一対の第２パネル面１２に凹部２０が形成されているので、例えば第２パネル面１２をフラットに形成する場合に比べて剛性を高めることができる。従って、剛性が高くなった分、胴部４全体の厚みを薄く形成することができ、軽量化に対応した角形ボトル１とすることができる。
【００５５】
特に第２パネル面１２には、凹部２０を上下に区分する横リブ３０が形成されている。そのため、例えば角形ボトル１内に内容物を充填した場合における内容物の自重、水頭圧等の影響によって、凹部２０が内容物から応力（圧力）を受け、この応力によって第２パネル面１２との稜線を起点として径方向の外側に反転変形するような挙動を示したとしても、横リブ３０を利用して凹部２０が反転変形してしまうことを抑制することができる。
そのため、凹部２０を径方向の内側に窪ませたままの状態にすることができ、第２パネル面１２の剛性を高めた状態を安定に維持することができる。従って、例えば第２パネル面１２が径方向の外側に膨らむ等して、胴部４の形状が意図せずに角形とは異なる形状に変化することを抑制することができる。
【００５６】
しかも、凹部２０は底部ライン２１を中心として線対称に形成されている。従って、凹部２０が内容物から応力を受けた際、例えば凹部２０の特定の箇所に応力が集中することを防止することができ、応力を分散させ易い。これにより、凹部２０が反転変形することを効果的に防止することができる。
【００５７】
それに加え、第１壁面２２及び第２壁面２３に斜めリブ２５が形成されているので、凹部２０が内容物から応力を受けた際に、斜めリブ２５に沿って応力を分散させることができる。従って、凹部２０のうち径方向の最も内側に位置している底部ライン２１付近に強い応力が作用したとしても、斜めリブ２５を利用して応力を分散できるので、底部ライン２１付近に応力が集中することを抑制できる。しかも斜めリブ２５は、底部ライン２１側から周方向の外側に向かうにしたがって上方或いは下方に向けて延びているので、例えば周方向又はボトル軸Ｏ方向に沿って直線状に延びるようなリブを形成した場合に比べて、径方向の外側に向けて凹部２０を反転変形させ難くすることができる。
従って、第１壁面２２及び第２壁面２３に形成した斜めリブ２５を利用して、凹部２０が反転変形することをより一層効果的に防止することができる。
【００５８】
以上のことから、本実施形態の角形ボトル１によれば、軽量化に対応しつつ、内容物の影響等によって胴部４の形状が意図せずに角形とは異なる形状に変化することを抑制することができる。
【００５９】
それに加え、本実施形態の角形ボトル１によれば、以下の作用効果を奏功することができる。
すなわち、斜めリブ２５が底部ライン２１側から周方向の外側に向かうにしたがって横リブ３０から離間するように傾斜しているので、凹部２０が内容物から応力を受けた際、斜めリブ２５を利用して横リブ３０から離間するように応力を分散させ易い。従って、横リブ３０にかかる負荷を低減することができ、より一層、横リブ３０を利用して凹部２０が反転変形してしまうことを抑制することができる。
【００６０】
さらに第１壁面２２（上側第１壁面２２ａ、下側第１壁面２２ｂ）、及び第２壁面２３（上側第２壁面２３ａ、下側第２壁面２３ｂ）に、斜めリブ２５を上下方向に一定の間隔をあけた状態で複数形成しているので、凹部２０が反転変形してしまうことをより効果的に抑制することができる。
従って、例えば角形ボトル１或いは第２パネル面１２の大きさ等に応じて凹部２０のサイズを適宜変更する等、凹部２０の設計自由度を向上することができる。
【００６１】
さらに本実施形態の角形ボトル１では、第２パネル面１２に凹部２０を形成しているので、凹部２０を利用して第２パネル面１２の剛性を積極的に高めることができ、胴部４の形状が例えば膨らむように変化する等といった不都合を生じさせ難くすることができ、扁平形状に安定的に維持することができる。
【００６２】
さらに角形ボトル１の廃棄時に、折曲ラインである底部ライン２１、補助折曲ライン４０、上部折曲ライン４１、下部折曲ライン４２、肩部折曲ライン４３等を利用して、凹部２０及び横リブ３０を周方向に折り曲げながら、第２パネル面１２及び第２肩パネル面１５を二つ折りにするように、周方向に折り畳むことができる。これにより、胴部４及び肩部３を押潰すことができ、角形ボトル１を嵩張らせることなく廃棄することができる。また、薄型化が可能な角形ボトル１であるので、減容化も可能となる。これらのことから、例えば環境負荷の低減化、リサイクル性の向上化に適した角形ボトル１とすることができる。
【００６３】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【００６４】
例えば、上記実施形態では、胴部４の形状を横断面視扁平状に形成したが、この場合に限定されるものではなく、角形に形成されていれば、その他の形状であっても良い。例えば、胴部４を横断面視正方形状や六角形状に形成しても構わない。
また、胴部４を構成する複数のパネル面１０の少なくとも１つに、凹部２０が形成されていれば構わない。例えば、上記実施形態において、一対の第２パネル面１２の一方だけに凹部２０を形成しても構わないし、一対の第１パネル面１１及び一対の第２パネル面１２の全てに凹部２０を形成しても構わない。
【００６５】
さらに上記実施形態では、凹部２０を横断面視Ｖ字状に窪むように形成したが、凹部２０の形状はこの場合に限定されるものではない。例えば横断面視半円状（湾曲状）に窪むように凹部を形成しても構わない。この場合であっても、凹部のうち最も径方向の内側に位置する部分に例えば仮想の底部ラインが形成され、この底部ラインを間に挟んで湾曲した第１壁面及び第２壁面が周方向に並んで配置される。
【００６６】
さらに上記実施形態では、径方向の外側に向けて突出する凸リブ状の横リブ３０を形成したが、横リブ３０の形状はこの場合に限定されるものではない。例えば、第１壁面２２及び第２壁面２３よりも径方向の内側に向けて突出した凹リブ状の横リブとしても構わない。
ただし、凹リブ状の横リブとした場合には、内容物からの応力によって横リブが径方向の外側に向けて先行して反転変形するおそれがあり、これによって凹部２０の反転変形を生じさせる（誘発する）可能性が考えられる。そのため、上記実施形態のように、凸リブ状の横リブ３０とすることが好ましい。
【００６７】
さらに上記実施形態では、上側第１壁面２２ａ、上側第２壁面２３ａ、下側第１壁面２２ｂ及び下側第２壁面２３ｂに、複数の斜めリブ２５をそれぞれ形成したが、複数形成する必要はなく、１つの斜めリブ２５を形成しても構わない。また、径方向の外側に向けて突出する凸リブ状の斜めリブ２５を形成したが、この場合に限定されるものではなく、例えば径方向の内側に向けて突出した凹リブ状の斜めリブとしても構わない。
ただし、凹リブ状の斜めリブとした場合には、内容物からの応力によって斜めリブが径方向の外側に向けて先行して反転変形するおそれがあり、これによって凹部２０の反転変形を生じさせる（誘発する）可能性が考えられる。そのため、上記実施形態のように、凸リブ状の斜めリブ２５とすることが好ましい。これにより、斜めリブ２５を起点とした凹部２０の例えば急激な反転変形を生じさせてしまうことを防止することができる。
【００６８】
また、複数の斜めリブ２５を形成する場合には、例えば図３及び図４に示すように、第１壁面２２側に形成した斜めリブ２５と、第２壁面２３側に形成した斜めリブ２５とを、上下方向に相対的にずらして配置しても構わない。
すなわち、上側第１壁面２２ａに形成された斜めリブ２５と、上側第２壁面２３ａに形成された斜めリブ２５とを、同等の傾斜角度で且つ同等のピッチで配置しながら、上下方向に互いに高さ位置を半ピッチずらした状態で配置するように形成しても構わない。
同様に、下側第１壁面２２ｂに形成された斜めリブ２５と、下側第２壁面２３ｂに形成された斜めリブ２５とを、同等の傾斜角度で且つ同等のピッチで配置しながら、上下方向に互いに高さ位置を半ピッチずらした状態で配置するように形成しても構わない。
【００６９】
このように構成された角形ボトル５０の場合には、凹部２０が内容物から応力を受けた際、第１壁面２２（上側第１壁面２２ａ、下側第１壁面２２ｂ）側の斜めリブ２５、及び第２壁面２３（上側第２壁面２３ａ、下側第２壁面２３ｂ）側の斜めリブ２５を利用して、応力をバランス良く分散させることができる。これにより、凹部２０全体に作用する応力を効率良く低減させることが可能であり、凹部２０が反転変形してしまうことをさらに効果的に抑制することができる。
【符号の説明】
【００７０】
Ｏ…ボトル軸
１、５０…角形ボトル
２…口部
３…肩部
４…胴部
５…底部
１０…パネル面
１１…第１パネル面
１２…第２パネル面
２０…凹部
２０ａ…上側凹部（凹部のうち肩部側に位置する部分）
２０ｂ…下側凹部（凹部のうち底部側に位置する部分）
２１…底部ライン
２２…第１壁面
２３…第２壁面
２５…斜めリブ
３０…横リブ
４０…補助折曲ライン
【図１】
2020001780.tif 000003
【図２】
2020001780.tif 000004
【図３】
2020001780.tif 000005
【図４】
2020001780.tif 000006